(57)【要約】      （修正有）【課題】両方向引出しスライドレールとそれを利用する引出し構造体を提供する。【解決手段】第一のスライドレール１１と、第一のスライドレール１１に嵌設された第二のスライドレール１２と、第二のスライドレール１２に嵌設された第三のスライドレール１４と、逆方向に対向するように第二のスライドレール１２の両端側に組立てられ、それぞれ、上下側に、対称するように、行き止めブロックと行き止めリブが設けられる二つのストッパー１６と、第三のスライドレール１４の中段部に組立てられ、長尺形連接シートで、両側に、順に、対称して伸びる傾斜押さえ面と係止孔及び係止槽が形成され、各上記傾斜押さえ面の上下側に、それぞれ、対称する係止ブロックが形成され、両端側のストッパーの間に当接して位置付け、そして、摺動する位置付け部材１７とから構成される。【選択図】図１
0003180645.tif 000002
【実用新案登録請求の範囲】
【請求項１】
第一のスライドレールと、第二のスライドレールと、第三のスライドレールと、二つのストッパーと、位置付け部材から構成される両方向引出しスライドレールであって、
上記第一のスライドレールは、少なくともその一面に、第一のシュートが設けられ、
上記第二のスライドレールは、少なくともその一面に、第二のシュートが設けられ、一面に、上記第一のシュートが嵌合され、上記第二のシュートの両端に、それぞれ、嵌設部が設けられ、
上記第三のスライドレールがは、少なくともその一面に、第三のシュートが設けられ、上記第三のシュートで、上記第二のスライドレールの上記第二のシュートに対向して嵌設されて、収納空間が形成され、上記第三のシュートの両端が、開放端部になり、
上記二つのストッパーは、少なくとも、その一面に、それぞれ、嵌設突出部が設けられ、逆方向に、対向するように、第二のシュートの左右両端側に嵌設され、上下側に、それぞれ、対称するように、行き止めブロックと行き止めリブが設けられ、また、上記行き止めブロックの内端面が、傾斜面の行き止め辺になり、上記行き止めブロックの外端面が、傾斜面の案内辺になり、
上記位置付け部材は、長尺形板バネ押え構造で、第三のシュートの中段部位に実装され、長尺形連接シートの両側において、順に、対称して伸びる傾斜押さえ面と係止孔及び係止槽が形成され、各上記傾斜押さえ面の上下側において、それぞれ、対称するように、係止ブロックが形成され、上記係止ブロックの対向する内端面が、傾斜面の係止辺になり、上記係止ブロックの外端面が、傾斜面の案内辺になり、摺動して、対応する上記第二のシュートの左右の両端側に設けてあるストッパーの間に位置するように構成したことを特徴とする両方向引出しスライドレール。
【請求項２】
上記位置付け部材の係止孔と係止槽が、それぞれ、対応して、上記第三のシュートの位置付けシートと係止ホックの位置に組立てられることを特徴とする請求項１に記載の両方向引出しスライドレール。
【請求項３】
上記第一のスライドレールと第二のスライドレールとの間において、更に、複数の第一のボール部材が設けられて、上記第一のスライドレールと上記第二のスライドレールの運動摩擦が低下することを特徴とする請求項１に記載の両方向引出しスライドレール。
【請求項４】
上記収納空間内において、更に、第二のボール部材が設けられ、上記第二のボール部材の断面が、略」v形状になり、上ボール行と下ボール行があり、それぞれ、離間的に、上記第二のスライドレールと上記第三のスライドレールとの間に位置し、上記ストッパーの対称する行き止めリブの内端面に、それぞれ、当接凹槽が形成され、上記上、下ボール行の側端に沿って摺動しながらストッパーの作用を発揮できることを特徴とする請求項１に記載の両方向引出しスライドレール。
【請求項５】
上記第一のスライドレールの両端に、第一の当接突出部が設けられ、上記第二のスライドレールの両端に、それぞれ、第二の当接突出部が設けられ、上記第二の当接突出部が、第一のスライドレールの第一の当接突出部に対応して配置され、上記第一のボール部材が、四角形板状で、二つの対応する第一の当接突出部と第二の当接突出部との間にだけ摺動可能であることを特徴とする請求項３に記載の両方向引出しスライドレール。
【請求項６】
請求項１乃至５の何れかの一項の両方向引出しスライドレールに適用され、
引出し収納槽と引出し主体からなる両方向引出しスライドレールを有する引出し構造体であって、
上記引出し収納槽が、両端に、それぞれ、開口され、両側の内壁面の中央位置において、適当な位置に、それぞれ、位置付け凹座が実装され、上記位置付け凹座の上面において、中央位置に、対称する円弧状の凹部があり、上記第一のスライドレールの上記第一のシュートに対向する一面が、その両側の内壁面に組立てられ、
上記引出し主体が、両方向可動に、上記引出し収納槽内に収納され、その二つの外側に、それぞれ、上記第三のスライドレールと位置付け凸柱が設けられ、各上記位置付け凸柱が、上記位置付け凹座に対応して配置されることを特徴とする両方向引出しスライドレールの引出し構造体。
【請求項７】
上記引出し主体の両端に、対称する引き出し面があって、それぞれ、取っ手が実装され、両方向に引出し主体をひきだすことができることを特徴とする請求項６に記載の両方向引出しスライドレールの引出し構造体。
【請求項８】
上記位置付け凸柱が、円柱状で、上記第三のスライドレールの底面において、中央位置に組立てられ、上記位置付け凹座が、上記第一のスライドレールに対応する位置に設置されることを特徴とする請求項６に記載の両方向引出しスライドレールの引出し構造体。
【考案の詳細な説明】
【技術分野】
【０００１】
本考案は、スライドレール構造及び該スライドレール構造を用いる引出し構造体に関するものであり、特に、両方向に引き出し可能な引出しスライドレールとそれを利用する引出し構造体に関するものである。
【背景技術】
【０００２】
従来の引出しのスライドレール構造によれば、スライドレール装置は、第一のスライドレールと摺動的に上記第一のスライドレールに嵌設された第二のスライドレール及び摺動的に上記第二のスライドレールに嵌設された第三のスライドレールが備えられたものである。上記第一のスライドレールに、解除部が設けられ、上記第二のスライドレールに、シュートが形成され、上記シュート内、摺動的に位置付け部材が設置され、上記位置付け部材に、第一の当接部と第二の当接部が設けてある。上記第三のスライドレールには、係止部が形成され、上記係止部が、上記第一の当接部に係止することにより、上記第三のスライドレールの端部と、上記第二のスライドレールの対応する端部との間に、所定の距離が保持される。上記第一のスライドレールの解除部が、上記位置付け部材の第二の当接部を押すことにより、上記位置付け部材が変位して、上記第一の当接部と、上記第三のスライドレールの係止部との係止が解消される。また、上記第二のスライドレールと上記位置付け部材との間に、上記位置付け部材を復帰させる弾性素子が実装される。
【０００３】
ユーザーが、本スライドレール装置を保管する時、上記第二のスライドレールと上記第三のスライドレールとの間に、安全空間が形成されたため、ユーザーの指が挟まれることがない。また、従来の考案によれば、異なる保護構造があって、ユーザーを保護するが、引出しを両方向に開くことができず、一方向にしか開くことができないから、ユーザーが、一側にある引出しを引き出すため、もう一方へ回ることが必要になり、また、反対側のユーザーが、逆方向に、引出しを引き出すことができないという不都合があった。
【０００４】
特開２００４−８４６３号公報（特許文献１）には、両方向に引き出すことができ、かつ引き出した状態で固定するロック機構を備えたスライドレールが記載されている。
【０００５】
しかし、安定的な位置付けの機構については改善の余地が残されている。
【特許文献１】特開２００４−８４６３号公報
【考案の概要】
【考案が解決しようとする課題】
【０００６】
従って、本考案の主な目的は、両方向に引き出されることができる特性を有し、ユーザーが、反対側へ移動しなくても、順に、両方向に引出し内の物品を引き出すことができる両方向引出しスライドレールとその引出し構造体を提供することにある。
【０００７】
本考案の他の目的は、大型たんすやツールたんすの収納隔離作用を向上させ、同時に、両側から、ユーザーが、順に、両方向へ引出し内の物品を取り出すことができる両方向引出しスライドレールとその引出し構造体を提供することにある。
【課題を解決するための手段】
【０００８】
そこで、本考案者は、前記の本考案の課題を解決するために鋭意検討を重ねた結果、後述するように、特定の複数のスライドレール及び付帯部材を組み合わせることにより、上記の本願考案の課題を解決することに着目し、かかる知見に基いて本考案に想到した。
【０００９】
請求項１の考案によれば、第一のスライドレールと、第二のスライドレールと、第三のスライドレールと、二つのストッパーと、位置付け部材から構成される両方向引出しスライドレールであって、
上記第一のスライドレールは、少なくともその一面に、第一のシュートが設けられ、
上記第二のスライドレールは、少なくともその一面に、第二のシュートが設けられ、一面に、上記第一のシュートが嵌合され、上記第二のシュートの両端に、それぞれ、嵌設部が設けられ、
上記第三のスライドレールがは、少なくともその一面に、第三のシュートが設けられ、上記第三のシュートで、上記第二のスライドレールの上記第二のシュートに対向して嵌設されて、収納空間が形成され、上記第三のシュートの両端が、開放端部になり、
上記二つのストッパーは、少なくとも、その一面に、それぞれ、嵌設突出部が設けられ、逆方向に、対向するように、第二のシュートの左右両端側に嵌設され、上下側に、それぞれ、対称するように、行き止めブロックと行き止めリブが設けられ、また、上記行き止めブロックの内端面が、傾斜面の行き止め辺になり、上記行き止めブロックの外端面が、傾斜面の案内辺になり、
上記位置付け部材は、長尺形板バネ押え構造で、第三のシュートの中段部位に実装され、長尺形連接シートの両側において、順に、対称して伸びる傾斜押さえ面と係止孔及び係止槽が形成され、各上記傾斜押さえ面の上下側において、それぞれ、対称するように、係止ブロックが形成され、上記係止ブロックの対向する内端面が、傾斜面の係止辺になり、上記係止ブロックの外端面が、傾斜面の案内辺になり、摺動して、対応する上記第二のシュートの左右の両端側に設けてあるストッパーの間に位置するように構成したことを特徴とする両方向引出しスライドレールが提供される。
【００１０】
請求項２の考案によれば、上記位置付け部材の係止孔と係止槽が、それぞれ、対応して、上記第三のシュートの位置付けシートと係止ホックの位置に組立てられることを特徴とする請求項１に記載の両方向引出しスライドレールが提供される。
【００１１】
請求項３の考案によれば、上記第一のスライドレールと第二のスライドレールとの間において、更に、複数の第一のボール部材が設けられて、上記第一のスライドレールと上記第二のスライドレールの運動摩擦が低下することを特徴とする請求項１に記載の両方向引出しスライドレールが提供される。
【００１２】
請求項４の考案によれば、上記収納空間内において、更に、第二のボール部材が設けられ、上記第二のボール部材の断面が、略」v形状になり、上ボール行と下ボール行があり、それぞれ、離間的に、上記第二のスライドレールと上記第三のスライドレールとの間に位置し、上記ストッパーの対称する行き止めリブの内端面に、それぞれ、当接凹槽が形成され、上記上、下ボール行の側端に沿って摺動しながらストッパーの作用を発揮できることを特徴とする請求項１に記載の両方向引出しスライドレールが提供される。
【００１３】
請求項５の考案によれば、上記第一のスライドレールの両端に、第一の当接突出部が設けられ、上記第二のスライドレールの両端に、それぞれ、第二の当接突出部が設けられ、上記第二の当接突出部が、第一のスライドレールの第一の当接突出部に対応して配置され、上記第一のボール部材が、四角形板状で、二つの対応する第一の当接突出部と第二の当接突出部との間にだけ摺動可能であることを特徴とする請求項３に記載の両方向引出しスライドレールが提供される。
【００１４】
請求項６の考案によれば、請求項１乃至５の何れかの一項の両方向引出しスライドレールに適用され、
引出し収納槽と引出し主体からなる両方向引出しスライドレールを有する引出し構造体であって、
上記引出し収納槽が、両端に、それぞれ、開口され、両側の内壁面の中央位置において、適当な位置に、それぞれ、位置付け凹座が実装され、上記位置付け凹座の上面において、中央位置に、対称する円弧状の凹部があり、上記第一のスライドレールの上記第一のシュートに対向する一面が、その両側の内壁面に組立てられ、
上記引出し主体が、両方向可動に、上記引出し収納槽内に収納され、その二つの外側に、それぞれ、上記第三のスライドレールと位置付け凸柱が設けられ、各上記位置付け凸柱が、上記位置付け凹座に対応して配置されることを特徴とする両方向引出しスライドレールの引出し構造体が提供される。
【００１５】
請求項７の考案によれば、上記引出し主体の両端に、対称する引き出し面があって、それぞれ、取っ手が実装され、両方向に引出し主体をひきだすことができることを特徴とする請求項６に記載の両方向引出しスライドレールの引出し構造体が提供される。
【００１６】
請求項８の考案によれば、上記位置付け凸柱が、円柱状で、上記第三のスライドレールの底面において、中央位置に組立てられ、上記位置付け凹座が、上記第一のスライドレールに対応する位置に設置されることを特徴とする請求項６に記載の両方向引出しスライドレールの引出し構造体が提供される。
【考案の効果】
【００１７】
本考案は前記の通りの構成からなり、両方向へ摺動可能であり、位置付け機構も簡素であるなど、利便性の優れたスライドレールと、これを用いた引き出し構造体を提供することができる。
【考案を実施するための最良の形態】
【００１８】
以下、図面を参照しながら、本考案の特徴や技術内容について、詳しく説明するが、それらの図面等は、参考や説明のためであり、本考案は、それらによって限定されるものではない。
【００１９】
本考案の第一の実施形態は、図１〜９のように、両方向引出しスライドレールとそれを利用する引出し構造体である。複数の両方向引出しスライドレール１は、引出しの両側に組立てられ、少なくとも一面に、第一のシュート１１１と複数のロック孔１１２が設けられる。第一のスライドレール１１の両端に、第一の当接突出部１１３が形成される第一のスライドレール１１と、少なくとも一面に、第二のシュート１２１が設けられ、第二のシュート１２１に対向する一面で、第一のシュート１１１に嵌設され、第二のシュート１２１の両端に、それぞれ、嵌設凹部１２２１の嵌設部１２２と第二の当接突出部１２３があり、第二の当接突出部１２３が、第一のスライドレール１１の第一の当接突出部１１３に対応して配置される第二のスライドレール１２と、四角形板状で、それぞれ、第一、第二のスライドレール１１、１２の間に設置され、第一、第二のスライドレール１１、１２の運動摩擦が低減される。
【００２０】
また、第一の当接突出部１１３と第二の当接突出部１２３との間において、対応した範囲内で摺動できる複数の第一のボール部材１３と、少なくとも一面に、第三のシュート１４１が設けられ、第三のシュート１４１で、第二のスライドレール１２の第二のシュート１２１に対向して嵌設して、収納空間（図に未表示）が形成される。上記第三のシュート１４１の両端が、開放端部１４１１であり、上記第三のシュート１４１の中段部に、四角形孔１４３が形成される。上記第三のシュート１４１の四角形孔１４３の両側において、順に、対称的に位置付けシート１４４と係止ホック１４５素子が形成される第三のスライドレール１４と、断面が、約  形状で、第二、第三のスライドレール１２、１４の収納空間内に組み立てられる。上下ボール行１５１、１５２が、それぞれ、離間的に、第二、第三のスライドレール１２、１４の間に配置される第二のボール部材１５と、本体の少なくとも一面に、嵌設突出部１６１が伸び、上記嵌設凹部１２２１に合わせて、第二のシュート１２１の端側に嵌設され、上下両側に、それぞれ、対称的に、行き止めブロック１６２と行き止めリブ１６３が突出し、上記行き止めブロック１６２の内端面が、傾斜面である行き止め辺１６２１であり、上記行き止めブロック１６２の外端面が、傾斜面である案内辺１６２２である。  また、二つの上記行き止めリブ１６３の内端面に、それぞれ、当接凹槽１６３１が設けられ、それに、上下ボール行１５１、１５２一側が嵌設され、また、上記二つのストッパー１６が、逆方向に対向するように、配置されて、第二のシュート１２１の左右両端側に嵌設される複数のストッパー１６と、第三のシュート１４１の中段部に対向して組立てられる。長尺形板バネ押え構造で、長尺形連接シート１７１の両側において、順に、対称して伸びる傾斜押さえ面１７３と係止孔１７４及び係止槽１７５が形成され、上記係止孔１７４と係止槽１７５が、それぞれ、上記第三のシュート１４１の位置付けシート１４４と係止ホック１４５の位置に対応して設置され、また、各上記傾斜押さえ面１７３の上下側において、それぞれ、対称するように、係止ブロック１７２が形成される。上記係止ブロック１７２の対向する内端面が、傾斜面の係止辺１７２１になり、上記係止ブロック１７２の外端面が、傾斜面の案内辺１７２２になる。即ち、二つの上記左右端の係止ブロック１７２が、逆方向に対向する対称構造で、摺動して、上記第二のシュート１２１の左右の両端側にあるストッパー１６の間に位置付けする位置付け部材１７とが含有される。
【００２１】
本考案に係る両方向引出しスライドレールによれば、図３−５のように、図３は、スライドレールが、右へ完全に、引き出された状態である。即ち、上記位置付け部材１７の左端にある係止ブロック１７２が、上記係止辺１７２１で、上記第二のシュート１２１の右端にあるストッパー１６の行き止め辺１６２１に当接する。
【００２２】
これにより、上記第三のスライドレール１４が、第二のスライドレール１２に対して、右へ最大的に引き出された状態になり、また、上記位置付け部材１７とストッパー１６と間において、対応して当接する構造により、不意に引き外れることを無くし、ユーザーが、本考案に係るスライドレールを取り外す時、図４のように、ユーザーが、上記位置付け部材１７を押え、左端の上記傾斜押さえ面１７３と係止ブロック１７２とが、側方向へ変位させて当接状態が解消され、組み立てや取り外しの操作が、容易になるスライドレール構造である。    
【００２３】
また、ユーザーが、本考案に係るスライドレールを押し戻す時、図５のように、スライドレールが、左へ押し戻された状態になる。上記位置付け部材１７の右端にある係止ブロック１７２が、傾斜面を摺動して、上記第二のシュート１２１の右端にあるストッパー１６の案内辺１６２２の上面に位置し、これにより、上記位置付け部材１７が、摺動して、上記第三のスライドレール１４と第二のスライドレール１２との間にある収納空間内に摺動する。そして、上記位置付け部材１７の左右係止ブロック１７２上の対称案内辺１７２２も、上記左右ストッパー１６上の対称行き止めブロック１６２を案内するように、作用するため、スライドレールの間に、順調的に往復運動できる。
【００２４】
図６−９は、本考案に係る両方向引出しスライドレールを、引出し構造体に組立てられた状態の実施形態であり、その引出し構造体２は、左右両端に、それぞれ、開口２１１、２１２があり、少なくとも一側の内壁面の中央位置において、適当な位置に、位置付け凹座２１３があり、上記位置付け凹座２１３の上面において、中央位置に、対称する円弧状の凹部２１４が形成され、二つの上記第一のスライドレール１１が、対向して、上記引出し収納槽２１の両側の内壁面に組立てられる。即ち、ロック素子に合わせて、ロック孔１１２に貫設されて、第一のスライドレール１１を、引出し収納槽２１の内側壁にロックし、上記位置付け凹座２１３が、対応して上記第一のスライドレール１１の底面の適当な位置に設置される引出し収納槽２１と、可動的に引出し収納槽２１内に収納され、収納空間２２１があり、上記引出し主体２２の外側に、ロック素子で、対応するように、上記第三のスライドレール１４が組立てられ、また、両端の引き出し面２２２に、それぞれ、取っ手２２３が設置されて、両方向へ引き出されることができ、また、少なくとも一側の第三のスライドレール１４の底面において、中央位置に、上記位置付け凹座２１３に対応するように、円柱状の位置付け凸柱２２４が形成され、中央の閉じられた位置に押される場合、上記位置付け凸柱２２４が、摺動可能に、上記位置付け凹座２１３の中央凹部２１４に位置付けられ（図７のように）、これにより、安定的に位置付けられて、不意に摺動することない引出し主体２２とが含有される。
【００２５】
また、図８−９のように、引出し本体２２が、それぞれ、右や左へ引き出された状態であり、即ち、右方のユーザーが、引出し主体２２を引き出して物を取り出す場合、引出し主体２２の右方の取っ手２２３を引き出して、位置付け凸柱２２４を、摺動させて位置付け凹座２１３の中央凹部２１４から離れると、引出し主体２２の側壁に設置された第三のスライドレール１４が、第二のスライドレール１２に対して、右へ摺動し、また、図８において、スライドレールが、右へ完全に開く状態であり、即ち、上記位置付け部材１７の左端係止ブロック１７２が、係止辺１７２１で、上記第二のシュート１２１の右端ストッパー１６の行き止め辺１６２１に当接し、また、上記位置付け部材１７とストッパー１６との間にある当接構造により、不意に引き出されて摺動することを防止でき、同じように、左方のユーザーが、左方から引出し主体２２を引き出す場合、図９において、スライドレールが、左へ完全に開く状態にであり、即ち、基本作動が、上記実施例の作動機構に対称し、ここでは、その説明を省略し、これにより、両方から、ユーザーが、引出し主体２２に収納された物を、容易に取り出すことができる。
【００２６】
本考案の第二の実施形態によれば、図１０〜１４のように、基本構造と技術原理は、第一の実施形態に類似するが、第一の実施形態とは、主として、位置付け部材１９の一部の構造が、変更されただけで、上記位置付け部材１９が、対応して、第三のスライドレール１８の四角形孔１８３の両側に組立てられる。上記位置付け部材１９は、長尺形板バネ押え構造で、長尺形連接シート１９１の両側において、順に、対称して伸びる傾斜押さえ面１９３と係止孔１９４及び係止柱１９５が形成される。上記係止孔１９４と係止柱１９５が、それぞれ、上記第三のスライドレール１８の位置付けシート１８４と位置付け孔１８５に対応して設置される。また、各上記傾斜押さえ面１９３の上下側において、それぞれ、対称するように、係止ブロック１９２が形成される。上記係止ブロック１９２の対向する内端面が、傾斜面の係止辺１９２１になり、上記上下側の係止ブロック１９２の外端が、一体的に設置された傾斜面の案内シート１９２２になり、二つの上記左右端の係止ブロック１９２が、逆方向に対向する対称構造で、これにより、摺動可能に、上記第二のシュート１２１の左右両端側のストッパー１６に当接して位置付けられる。
【００２７】
以上は、本考案のより良い実施形態であり、本考案は、それらによって限定されるものではなく、本考案に係わる実用新案登録請求の範囲や明細書の内容に基づいて行った等価の変更や修正は、全てが、本考案の範囲内に含まれる。
【図面の簡単な説明】
【００２８】
【図１】本考案の第一の実施形態によるスライドレールの分解斜視図である。
【図２】図１のスライドレール部材の一部拡大図である。
【図３】図１の一部構造のスライドレールが右へ完全に開かれた状態の断面図である。
【図４】図３のスライドレールが、押えられて右へ摺動して取り外す状態を示す断面図である。
【図５】図４のスライドレールが、左へ押えられて組立て状態を示す断面図である。
【図６】本考案の第一の実施形態による両方向引出しスライドレールとその引出し構造体の斜視図である。
【図７】図６の両方向引出しスライドレールとその引出し構造体の作動実施例の断面図一、引出し本体が閉じられた状態である。
【図８】図７の組立て構造断面図に類似したもので、引出し本体が、右へ引き出された状態である。
【図９】図８の組立て構造断面図に類似したもので、引出し本体が、左へ引き出された状態である。
【図１０】本考案に係る第二の実施形態による両方向引出しスライドレールの分解斜視図である。
【図１１】図１０のスライドレール部材の一部拡大図である。
【図１２】図１０の一部構造のスライドレールが、右へ完全に開かれた状態を示す断面概念図である。
【図１３】本考案の第二の実施形態による両方向引出しスライドレールとその引出し構造体の引出し本体が、右へ引かれた状態の断面図である。
【図１４】図１３の引出し本体が、左へ引かれた状態の構造断面図である。
【符号の説明】
【００２９】
１  両方向引出しスライドレール
１１  第一のスライドレール
１１１  第一のシュート
１１２  ロック孔
１１３  第一の当接突出部
１２  第二のスライドレール
１２１  第二のシュート
１２２  嵌設部
１２２１  嵌設凹部
１２３  第二の当接突出部
１３  第一のボール部材
１４  第三のスライドレール
１４１  第三のシュート
１４１１  開放端部
１４２  ロック孔
１４３  四角形孔
１４４  位置付けシート
１４５  係止ホック
１５  第二のボール部材
１５１  上ボール行
１５２  下ボール行
１６  ストッパー
１６１  嵌設突出部
１６２  行き止めブロック
１６２１  行き止め辺
１６２２  案内辺
１６３  行き止めリブ
１６３１  当接凹槽
１７  位置付け部材
１７１  長尺形連接シート
１７２  係止ブロック
１７２１  係止辺
１７２２  案内辺
１７３  傾斜押さえ面
１７４  係止孔
１７５  係止槽
１８  第三のスライドレール
１８３  四角形孔
１８４  位置付けシート
１８５  位置付け孔
１９  位置付け部材
１９１  長尺形連接シート
１９２  係止ブロック
１９２１  係止辺
１９２２  案内シート
１９３  傾斜押さえ面
１９４  係止孔
１９５  係止柱
２  引出し構造体
２１  引出し収納槽
２１１、２１２  開口
２１３  位置付け凹座
２１４  凹部
２２  引出し主体
２２１  収納空間
２２２  引き出し面
２２３  取っ手
２２４  位置付け凸柱
【図１】
0003180645.tif 000003
【図２】
0003180645.tif 000004
【図３】
0003180645.tif 000005
【図４】
0003180645.tif 000006
【図５】
0003180645.tif 000007
【図６】
0003180645.tif 000008
【図７】
0003180645.tif 000009
【図８】
0003180645.tif 000010
【図９】
0003180645.tif 000011
【図１０】
0003180645.tif 000012
【図１１】
0003180645.tif 000013
【図１２】
0003180645.tif 000014
【図１３】
0003180645.tif 000015
【図１４】
0003180645.tif 000016